(57)【要約】【課題】内径が僅かに異なる２つの鋼管を突合せ溶接する場合に使用可能な裏当て金を、簡単にかつ安価に製作することを可能にする。【解決手段】裏当てリング８１は、内径大側鋼管（大径鋼管杭５１）の内面に可動に嵌合する大径部分８１ａと、内径小側鋼管（大径短尺管１３）の内面に可動に嵌合する小径部分８１ｂとが段差部８１ｃを介在させて一体連続してなるとともに、周方向の一部に切込み８１ｄを有して弾性的に径が縮小可能とされている。例えば、拡頭杭である上側の大径鋼管杭５１と下側の小径鋼管杭５２とを異形鋼管杭接続部材１０を介して連結する場合では、例えば大径鋼管杭５１と異形鋼管杭接続部材１０の大径短尺管１３とを突合せ溶接する際の裏当て金として用いることができる。例えば、短冊状の鋼板をプレス加工により段差を付け、リング状に湾曲成形するという簡単な加工で安価に製作できる。【選択図】図３
2020172750.tif 000002
【特許請求の範囲】
【請求項１】
鋼管杭において、突き合わせた時に内周面に段差が生じるような互いに内径の異なる２つの鋼管を突合せ溶接する際に用いられる異径管溶接接続用の裏当てリングであって、
内径大側鋼管の内面に可動に嵌合する大径部分８１ａと内径小側鋼管の内面に可動に嵌合する小径部分８１ｂとが段差部８１ｃを介在させて一体連続してなるとともに、周方向の一部に切込みを有して非閉鎖円形断面をなし弾性的に径が縮小可能とされていることを特徴とする異径管溶接接続用の裏当てリング。
【請求項２】
大径鋼管杭５１が溶接接続される大径短尺管１３を円形平板１２の片側面に溶接固定し、小径鋼管杭５２が溶接接続される小径短尺管１４を前記円形平板１２の他側面に溶接固定した異形鋼管杭接続部材１０を介して、前記大径鋼管杭５１と小径鋼管杭５２とを連結する際に用いられる裏当てリングであって、
前記大径鋼管杭５１と前記大径短尺管１３との溶接接続部、又は前記小径鋼管杭５２と前記小径短尺管１４との溶接接続部に用いられるものであることを特徴とする請求項１記載の異径管溶接接続用の裏当てリング。
【請求項３】
短い円管部７７とこの円管部７７の下端に固定されて掘削推進力を発揮する構造の掘削推進部７８とを備えた先端部材７０における前記円管部７７と鋼管杭６１の下端とを溶接固定する際に用いられる裏当てリングであって、
前記鋼管杭６１の内面に可動に嵌合する大径部分８１ａと前記先端部材７０の前記円管部７７の内面に可動に嵌合する小径部分８１ｂとが段差部８１ｃを介在させて一体連続してなるとともに、周方向の一部に切込みを有して非閉鎖円形断面をなし弾性的に径が縮小可能とされていることを特徴とする請求項１記載の異径管溶接接続用の裏当てリング。
【発明の詳細な説明】
【技術分野】
【０００１】
この発明は、  鋼管杭において、突き合わせた時に内周面に段差が生じるような互いに内径の異なる２つの鋼管を突合せ溶接する際に用いられる異径管溶接接続用の裏当てリング（リング状の裏当て金）に関する。
【背景技術】
【０００２】
従来、鋼管杭の施工に際して、突き合わせた時に内周面に段差が生じるような互いに内径の異なる２つの鋼管を裏当て金を用いて突合せ溶接する場合、一方の鋼管の内面（内径）に合わせた第１筒状体と他方の管の内面（内径）に合わせた第２筒状体とを上下に突き合せた状態で仮付けすることで段差付き筒状体とし、この段差付き筒状体を裏当て金として用いて、内径の異なる前記２つの鋼管の突合せ溶接を行っていた。
【発明の概要】
【発明が解決しようとする課題】
【０００３】
内径が僅かに異なる２つの鋼管を突合せ溶接する場合に、前記のように一方の鋼管の内面（内径）に合わせた第１筒状体と他方の鋼管の内面（内径）に合わせた第２筒状体とを上下に突き合せた状態で仮付けして、段差付き筒状体とする製作方法は、煩雑でありコストも高くなる。
【０００４】
本発明は上記背景のもとになされたもので、鋼管杭において、内径が僅かに異なる２つの鋼管を突合せ溶接する場合に使用可能な裏当て金を、簡単にかつ安価に製作することを可能にすることを目的とする。
【課題を解決するための手段】
【０００５】
上記課題を解決する請求項１の発明は、鋼管杭において、突き合わせた時に内周面に段差が生じるような互いに内径の異なる２つの鋼管を突合せ溶接する際に用いられる異径管溶接接続用の裏当てリングであって、
内径大側鋼管の内面に可動に嵌合する大径部分８１ａと内径小側鋼管の内面に可動に嵌合する小径部分８１ｂとが段差部８１ｃを介在させて一体連続してなるとともに、周方向の一部に切込みを有して非閉鎖円形断面をなし弾性的に径が縮小可能とされていることを特徴とする。
【０００６】
請求項２は、請求項１記載の裏当てリングが、大径鋼管杭５１（内径大側鋼管）が溶接接続される大径短尺管１３（内径小側鋼管）を円形平板１２の片側面に溶接固定し、小径鋼管杭５２（内径大側鋼管）が溶接接続される小径短尺管１４（内径小側鋼管）を前記円形平板１２の他側面に溶接固定した異形鋼管杭接続部材１０を介して、前記大径鋼管杭５１（内径大側鋼管）と小径鋼管杭５２とを連結する際に用いられる裏当てリングであって、
前記大径鋼管杭５１と前記大径短尺管１３との溶接接続部、又は前記小径鋼管杭５２と前記小径短尺管１４との溶接接続部に用いられるものであることを特徴とする。
【０００７】
請求項３は、請求項１記載の裏当てリングが、短い円管部７７とこの円管部７７の下端に固定されて掘削推進力を発揮する構造の掘削推進部７８とを備えた先端部材７０における前記円管部７７と鋼管杭６１の下端とを溶接固定する際に用いられる裏当てリングであって、
前記鋼管杭６１の内面に可動に嵌合する大径部分８１ａと前記先端部材７０の前記円管部７７の内面に可動に嵌合する小径部分８１ｂとが段差部８１ｃを介在させて一体連続してなるとともに、周方向の一部に切込みを有して非閉鎖円形断面をなし弾性的に径が縮小可能とされていることを特徴とする。
【発明の効果】
【０００８】
鋼管杭において、内径が僅かに異なる２つの鋼管を突合せ溶接する場合に使用可能な裏当てリングを、従来方法と比較して顕著に簡単かつ安価に製作することができる。
【図面の簡単な説明】
【０００９】
【図１】本発明の一実施例の裏当てリングの一実施例を示すもので、（イ）は裏当てリングの側面図、（ロ）は平面図、（ハ）は斜視図である。
【図２】図１の裏当てリングを製作する方法を説明する図である。
【図３】実施例の裏当てリングを用いる場合の一例として示した図９（イ）の鋼管杭の中間において、互いに内径の異なる上下の鋼管杭を異形鋼管杭接続部材を介して連結する部分の断面図である。
【図４】図３における異形鋼管杭接続部材の斜視図であり、上下の鋼管杭を２点鎖線で示している。
【図５】実施例の裏当てリングを用いる場合の他の例として示した図９（ロ）において、上側の細径の鋼管杭５２と下側の拡底杭である鋼管杭５１’とを、異形鋼管杭接続部材を介して連結する部分の断面図である。
【図６】実施例の裏当てリングを用いる場合のさらに他の例として示した図９（イ）、（ロ）の鋼管杭の先端に固定される先端部材の近傍を示したもので、先端部材近傍の要部断面図（先端部材の端面板は断面として図示していない）である。
【図７】図６の右側面図に相当する要部断面図である。
【図８】図７のＡ−Ａ断面平面図である。
【図９】（イ）、（ロ）のいずれも、図１に示した裏当てリングを使用する箇所を説明するための図である。
【発明を実施するための形態】
【００１０】
以下、本発明の異径管溶接接続用の裏当てリングを実施するための形態について、図面を参照して説明する。
【実施例１】
【００１１】
図１は本発明の一実施例の裏当てリング（リング状の裏当て金）８１の一実施例を示すもので、（イ）は裏当てリング８１の側面図、（ロ）は平面図、（ハ）は斜視図である。
この裏当てリング８１は、突き合わせた時に内周面に段差が生じるような互いに内径の異なる２つの鋼管を突合せ溶接する際に用いられるものであり、図示略の内径大側鋼管の内面に可動に嵌合する大径部分８１ａと図示略の内径小側鋼管の内面に可動に嵌合する小径部分８１ｂとが段差部分８１ｃを介在させて一体連続してなるとともに、周方向の一部に切込み（間隙）８１ｄを有して非閉鎖円形断面をなし、弾性的に径が縮小可能とされている構造である。
【００１２】
この裏当てリング８１は、例えば、板厚ｔの鋼板から切り出した図２（イ）、（ロ）に示すような短冊状の細長いの鋼板ｐをプレス加工して図２（ハ）、（ニ）に示すように段差ｓを付け、この段差付きの鋼板ｐ’を間隙８１ｄが残る態様でリング状に湾曲成形して製作することができる。
なお、適切な板厚、外径、内径の鋼管を適宜の長さに切断し、周方向の適宜箇所に切込みを入れて裏当てリング８１を製作することも可能である。
【００１３】
図示例の裏当てリング８１は、例えば図９（イ）に示した鋼管杭６１における異形鋼管杭接続部材１０の部分に用いることができる。図４に異形鋼管杭接続部材１０を斜視図で示す。
【００１４】
この異形鋼管杭接続部材１０は、杭本体である鋼管を回転圧入することにより地盤に貫入させる回転圧入工法において、例えば図９（イ）、（ロ）に示す互いに径の異なる鋼管杭５１、５２（又は５２’、５１’）を上下に連結する場合に用いることができるが、図３に示した異形鋼管杭接続部材１０は拡頭杭を施工する場合（図９（イ）の場合）のものであり、拡頭杭となる大径鋼管杭５１とその下側の小径鋼管杭５２とを連結するために用いている。
なお、上下の鋼管杭５１、５２からなる鋼管杭全体（施工鋼管杭）を鋼管杭６１として示す。
【００１５】
この異径鋼管杭接続部材１０は、円形平板１２の上側面に、上側の大径鋼管杭５１が溶接接続される鋼製の大径短尺管１３の管端を内外面とも全周溶接固定し、前記円形平板１２の下側面に、下側の小径鋼管杭５２が溶接接続される鋼製の小径短尺管１４の管端を内外面とも全周溶接固定した構造である。
【００１６】
前記裏当てリング８１は、図３に示すように、上側の大径鋼管杭（内径大側鋼管）５１と大径短尺管（内径小側鋼管）１３の管端とを裏当て金有りの突合せ溶接接続するために用いている。
裏当てリング８１の大径部分８１ａの外径Ｄ６は大径鋼管杭（内径大側鋼管）５１の内径ｄ２より僅かに小径であり（可動に嵌合可能である）、小径部分８１ｂの外径Ｄ７は大径短尺管（（内径小側鋼管）１３の内径ｄ１よりこの実施例では僅かに大径である（緊密に嵌合する。すなわち、切込み８１ｄの存在で弾性的に径が縮小して緊密に嵌合する）。
したがって、この裏当てリング８１の小径部分８１ｂを大径短尺管１３に嵌め込むと、その段差部８１ｃが大径鋼管杭（内径大側鋼管）５１と大径短尺管（内径小側鋼管）１３との間の内面段差部に載る態様で、かつ、小径部分８１ｂが大径短尺管（内径小側鋼管）１３に緊密に嵌合する。
その状態で、異径鋼管杭接続部材１０の大径短尺管１３に大径鋼管杭５１を裏当て金有りの突合せ溶接接続をすることができ、良好な溶接品質を確保することができる。
【００１７】
なお、図示例の場合（大径短尺管１３を上側として用いる場合）は、裏当てリング８１の段差部８１ｃが大径鋼管杭（内径大側鋼管）５１と大径短尺管（内径小側鋼管）１３との段差部に当たるので、裏当てリング８１の小径部分８１ｂは大径短尺管１３に必ずしも緊密の嵌合しなくてもよい。
【００１８】
同じ図４において、小径鋼管杭（内径大側鋼管）５２に異径鋼管杭接続部材１０の小径短尺管（内径小側鋼管）１４を溶接接続する際に用いる裏当てリング８１’として説明すると（図示の裏当てリング８１’は上下逆の姿勢となる）、その大径部分８１ａの外径Ｄ６は小径鋼管杭（内径大側鋼管）５２の内径ｄ４より僅かに小径であり、小径部分８１ｂの外径Ｄ７は小径短尺管（内径小側鋼管）１４の内径ｄ３より僅かに大径である（緊密に嵌合する。すなわち、切込み８１ｄの存在で弾性的に径が縮小して緊密に嵌合する）。なお、裏当てリング８１の大径部分８１ａの外径Ｄ６は、切込み８１ｄにより縮径できるので、必ずしも小径鋼管杭（内径大側鋼管）５２の内径ｄ４より小径にしなくてもよい
この場合は、予め裏当てリング８１’の小径部分８１ｂを異径鋼管杭接続部材１０の小径短尺管（内径小側鋼管）１４の内面に嵌め込んでおく。前述の通り、小径部分８１ｂが切込み８１ｄの存在で弾性的に径が縮小して小径短尺管（内径小側鋼管）１４の内面に緊密に嵌合するので、下向き開口の小径短尺管１４内に弾性的に保持されている（落下しない）。
その状態で、小径短尺管１４に弾性的に取り付けられた裏当てリング８１’の大径部分８１ａを小径鋼管杭（内径大側鋼管）５２内に挿入して小径短尺管１４の下端面と小径鋼管杭５２の上端面とを突き合わせることで、小径短尺管１４と小径鋼管杭５２とを裏当て金有りの突合せ溶接接続をすることができる。
【実施例２】
【００１９】
図５は前記異径鋼管杭接続部材１０を上下逆にして用いる場合の裏当てリング８１の使用状態を示す。すなわち、図９（ロ）のように、上側の小径鋼管杭５２’と下側の大径鋼管杭５１’とを異径鋼管杭接続部材１０を介して連結する場合であり、拡底杭（大径鋼管杭５１’）を持つ鋼管杭６１（６１Ａ）が施工される。
この場合、上側の小径鋼管杭５２’と異形鋼管杭接続部材１０の小径短尺管１４との溶接接続において、又は拡底杭である下側の内径大側鋼管５１’と異形鋼管杭接続部材１０の大径短尺管１３との溶接接続において、図３で説明した要領と同様な要領で、裏当てリング８１を用いることができる。
【実施例３】
【００２０】
上述の裏当てリング８１は、図９（イ）、（ロ）に示した鋼管杭６１（６１Ａ）の先端に取り付けられて、回転により推進力を発揮する先端部材７０の部分にも適用することができる。
図９（イ）における先端部材７０として説明すると、この先端部材７０は、図６〜図８に示すように、短い円管部７７とこの円管部７７の下端に固定されて掘削推進力を発揮する掘削推進部７８とを備えている。
掘削推進部７８は、円板から製作される端面板７１とその下面中央に垂直に溶接固定された先端の尖った板状の掘削刃７２を備えている。
前記端面板７１は前記円管部７７の外周面より外側部分である鍔部７３に、互いに上下逆向きに傾斜した傾斜面部、すなわち上向きに傾斜した傾斜面部７４及び下向きに傾斜した傾斜面部７５を有している。端面板７１のこの上下逆向きに傾斜した傾斜面部７４、７５が回転圧入時の回転により推進力を発揮する。また、この先端部材７０の端面板７１はその中心部に円形の中心穴７６を有している。
前記掘削刃７２は、端面板側（端面板７１に溶接固定される側）に、互いに平行な両辺７２ａを有しその先端側部分７２ｂが三角形状である五角形家形をなしており、端面板７１の前記中心穴７６に臨んで開口する切欠き７２ｃを有している。この実施例の切欠７２ｃの形状（内縁形状）は、幅が中心穴７６の直径と同寸法であり、掘削刃７２の全体輪郭である五角形と概ね相似の五角形をなしている。
この先端部材７０によれば、端面板７１の中心部にあけた中心穴７６と掘削刃７２側に形成した切欠き７２ｃとが、相互に影響し合い協働して作用し、圧抜きの作用を損なうことなく、掘削土が管内に侵入することによる一定の閉塞効果を奏して支持力を確保できる。
【００２１】
この先端部材７０を鋼管杭６１の下端に裏当てリング８１を用いて溶接固定する場合、裏当てリング８１を、その段差部８１ｃが先端部材７０の円管部（内径小側鋼管）７７の上端に載る態様で円管部７７の内面に嵌め込んでおく。なお、裏当てリング８１はその小径部分８１ｂの外径を、前記円管部７７の内径より僅かに大径にしており、裏当てリング８１の小径部分８１ｂを縮小した状態（切込み８１ｄの幅を狭くした状態）で円管部７７に嵌め込み、開放させた時に弾性的に径が拡大して緊密に嵌合するので、前記段差部８１ｃが円管部７７の上端面に載ることと相俟って、円管部７７の上端部に安定して保持される。
その状態で鋼管杭（内径大側鋼管）６１を、裏当てリング８１の大径部分８１ａに被せるようにして円管部７７の上端面に載せる（必要があれば裏当てリング８１の大径部分８１ａを絞って載せる）と、裏当てリング８１が裏当て金として機能する状態となる。
これにより鋼管杭６１と円管部７７とを良好な裏当て金有りの溶接接続をすることができる。
【００２２】
実施例では、裏当てリング８１を異形鋼管杭接続部材１０、及び先端部材７０において適用する実施例について説明したが、その他、突き合わせた時に内周面に段差が生じるような互いに内径の異なる２つの鋼管を溶接接続する場合に適用できる。
【符号の説明】
【００２３】
１０  異径鋼管杭接続部材
１２  円形平板
１３  大径短尺管（内径小側鋼管）
１４  小径短尺管（内径小側鋼管）
５１、５１’  大径鋼管杭（内径大側鋼管）
５２、５２’  小径鋼管杭（内径大側鋼管）
６１、６１Ａ  鋼管杭（軸部）
７０  先端部材
７１  端面板
７２  掘削刃
７３  （端面板の）鍔部
７４  （上向き傾斜の）傾斜面部
７５  （下向き傾斜の）傾斜面部
７６  中心孔
７７  円管部（内径小側鋼管）
７８  掘削推進部
８１、８１’  裏当てリング
８１ａ  大径部分
８１ｂ  小径部分
８１ｃ  段差部分
８１ｄ  切込み
ｐ  鋼板
ｐ’  段差付き鋼板
【図１】
2020172750.tif 000003
【図２】
2020172750.tif 000004
【図３】
2020172750.tif 000005
【図４】
2020172750.tif 000006
【図５】
2020172750.tif 000007
【図６】
2020172750.tif 000008
【図７】
2020172750.tif 000009
【図８】
2020172750.tif 000010
【図９】
2020172750.tif 000011
【手続補正書】
【提出日】令和1年7月17日(2019.7.17)
【手続補正１】
【補正対象書類名】特許請求の範囲
【補正対象項目名】全文
【補正方法】変更
【補正の内容】
【特許請求の範囲】
【請求項１】
鋼管杭において、突き合わせた時に内周面に段差が生じるような互いに内径の異なる２つの鋼管を突合せ溶接する際に用いられる異径管溶接接続用の裏当てリングであって、
短冊状の細長い鋼板の幅方向中間位置に全長に亘る段差を形成した段差付き鋼板をリング状に湾曲成形して構成されたものであり、内径大側鋼管の内面に可動に嵌合する大径部分８１ａと内径小側鋼管の内面に可動に嵌合する小径部分８１ｂとが段差部８１ｃを介在させて一体連続してなるとともに、周方向の一部に隙間を有する非閉鎖円形断面をなし弾性的に径が縮小可能とされていることを特徴とする異径管溶接接続用の裏当てリング。
【請求項２】
大径鋼管杭５１が溶接接続される大径短尺管１３を円形平板１２の片側面に溶接固定し、小径鋼管杭５２が溶接接続される小径短尺管１４を前記円形平板１２の他側面に溶接固定した異径鋼管杭接続部材１０を介して、前記大径鋼管杭５１と小径鋼管杭５２とを連結する際に用いられる裏当てリングであって、
前記大径鋼管杭５１と前記大径短尺管１３との溶接接続部、又は前記小径鋼管杭５２と前記小径短尺管１４との溶接接続部に用いられるものであることを特徴とする請求項１記載の異径管溶接接続用の裏当てリング。
【請求項３】
短い円管部７７とこの円管部７７の下端に固定されて掘削推進力を発揮する構造の掘削推進部７８とを備えた先端部材７０における前記円管部７７と鋼管杭６１の下端とを溶接固定する際に用いられる裏当てリングであって、
前記鋼管杭６１の内面に可動に嵌合する大径部分８１ａと前記先端部材７０の前記円管部７７の内面に可動に嵌合する小径部分８１ｂとが段差部８１ｃを介在させて一体連続してなるとともに、周方向の一部に隙間を有する非閉鎖円形断面をなし弾性的に径が縮小可能とされていることを特徴とする請求項１記載の異径管溶接接続用の裏当てリング。
【手続補正２】
【補正対象書類名】明細書
【補正対象項目名】０００５
【補正方法】変更
【補正の内容】
【０００５】
上記課題を解決する請求項１の発明は、鋼管杭において、突き合わせた時に内周面に段差が生じるような互いに内径の異なる２つの鋼管を突合せ溶接する際に用いられる異径管溶接接続用の裏当てリングであって、
鋼管杭において、突き合わせた時に内周面に段差が生じるような互いに内径の異なる２つの鋼管を突合せ溶接する際に用いられる異径管溶接接続用の裏当てリングであって、
短冊状の細長い鋼板の幅方向中間位置に全長に亘る段差を形成した段差付き鋼板をリング状に湾曲成形して構成されたものであり、内径大側鋼管の内面に可動に嵌合する大径部分８１ａと内径小側鋼管の内面に可動に嵌合する小径部分８１ｂとが段差部８１ｃを介在させて一体連続してなるとともに、周方向の一部に隙間を有する非閉鎖円形断面をなし弾性的に径が縮小可能とされていることを特徴とする。
【手続補正３】
【補正対象書類名】明細書
【補正対象項目名】０００７
【補正方法】変更
【補正の内容】
【０００７】
請求項３は、請求項１記載の裏当てリングが、短い円管部７７とこの円管部７７の下端に固定されて掘削推進力を発揮する構造の掘削推進部７８とを備えた先端部材７０における前記円管部７７と鋼管杭６１の下端とを溶接固定する際に用いられる裏当てリングであって、
前記鋼管杭６１の内面に可動に嵌合する大径部分８１ａと前記先端部材７０の前記円管部７７の内面に可動に嵌合する小径部分８１ｂとが段差部８１ｃを介在させて一体連続してなるとともに、周方向の一部に間隙を有する非閉鎖円形断面をなし弾性的に径が縮小可能とされていることを特徴とする。
【手続補正４】
【補正対象書類名】明細書
【補正対象項目名】００１１
【補正方法】変更
【補正の内容】
【００１１】
図１は本発明の一実施例の裏当てリング（リング状の裏当て金）８１の一実施例を示すもので、（イ）は裏当てリング８１の側面図、（ロ）は平面図、（ハ）は斜視図である。
この裏当てリング８１は、突き合わせた時に内周面に段差が生じるような互いに内径の異なる２つの鋼管を突合せ溶接する際に用いられるものであり、図示略の内径大側鋼管の内面に可動に嵌合する大径部分８１ａと図示略の内径小側鋼管の内面に可動に嵌合する小径部分８１ｂとが段差部分８１ｃを介在させて一体連続してなるとともに、周方向の一部に切込み（間隙を指す）８１ｄを有する非閉鎖円形断面をなし、弾性的に径が縮小可能とされている構造である。
【手続補正５】
【補正対象書類名】明細書
【補正対象項目名】００１２
【補正方法】変更
【補正の内容】
【００１２】
この裏当てリング８１は、例えば、板厚ｔの鋼板から切り出した図２（イ）、（ロ）に示すような短冊状の細長いの鋼板ｐをプレス加工して図２（ハ）、（ニ）に示すように段差ｓを付け、この段差付きの鋼板ｐ’を間隙８１ｄが残る態様でリング状に湾曲成形して製作することができる。
【手続補正６】
【補正対象書類名】明細書
【補正対象項目名】００１８
【補正方法】変更
【補正の内容】
【００１８】
同じ図３において、小径鋼管杭（内径大側鋼管）５２に異径鋼管杭接続部材１０の小径短尺管（内径小側鋼管）１４を溶接接続する際に用いる裏当てリング８１’として説明すると（図示の裏当てリング８１’は上下逆の姿勢となる）、その大径部分８１ａの外径Ｄ６は小径鋼管杭（内径大側鋼管）５２の内径ｄ４より僅かに小径であり、小径部分８１ｂの外径Ｄ７は小径短尺管（内径小側鋼管）１４の内径ｄ３より僅かに大径である（緊密に嵌合する。すなわち、切込み８１ｄの存在で弾性的に径が縮小して緊密に嵌合する）。なお、裏当てリング８１の大径部分８１ａの外径Ｄ６は、切込み８１ｄにより縮径できるので、必ずしも小径鋼管杭（内径大側鋼管）５２の内径ｄ４より小径にしなくてもよい
この場合は、予め裏当てリング８１’の小径部分８１ｂを異径鋼管杭接続部材１０の小径短尺管（内径小側鋼管）１４の内面に嵌め込んでおく。前述の通り、小径部分８１ｂが切込み８１ｄの存在で弾性的に径が縮小して小径短尺管（内径小側鋼管）１４の内面に緊密に嵌合するので、下向き開口の小径短尺管１４内に弾性的に保持されている（落下しない）。
その状態で、小径短尺管１４に弾性的に取り付けられた裏当てリング８１’の大径部分８１ａを小径鋼管杭（内径大側鋼管）５２内に挿入して小径短尺管１４の下端面と小径鋼管杭５２の上端面とを突き合わせることで、小径短尺管１４と小径鋼管杭５２とを裏当て金有りの突合せ溶接接続をすることができる。
【手続補正書】
【提出日】令和1年8月23日(2019.8.23)
【手続補正１】
【補正対象書類名】特許請求の範囲
【補正対象項目名】全文
【補正方法】変更
【補正の内容】
【特許請求の範囲】
【請求項１】
鋼管杭において、突き合わせた時に内周面に段差が生じるような互いに内径の異なる２つの鋼管を突合せ溶接する際に用いられる異径管溶接接続用の裏当てリングであって、
内径大側鋼管の内面に可動に嵌合する大径部分８１ａと内径小側鋼管の内面に可動に嵌合する小径部分８１ｂとが、管内から見て大径部分側の凹湾曲断面部分と小径部分側の凸湾曲断面部分とが連続する態様の等厚の段差部８１ｃを介在させて一体連続してなるとともに、周方向の一部に隙間を有する非閉鎖円形断面をなし弾性的に径が縮小可能とされていることを特徴とする異径管溶接接続用の裏当てリング。
【請求項２】
大径鋼管杭５１が溶接接続される大径短尺管１３を円形平板１２の片側面に溶接固定し、小径鋼管杭５２が溶接接続される小径短尺管１４を前記円形平板１２の他側面に溶接固定した異径鋼管杭接続部材１０を介して、前記大径鋼管杭５１と小径鋼管杭５２とを連結する際に用いられる裏当てリングであって、
前記大径鋼管杭５１と前記大径短尺管１３との溶接接続部、又は前記小径鋼管杭５２と前記小径短尺管１４との溶接接続部に用いられるものであることを特徴とする請求項１記載の異径管溶接接続用の裏当てリング。
【請求項３】
短い円管部７７とこの円管部７７の下端に固定されて掘削推進力を発揮する構造の掘削推進部７８とを備えた先端部材７０における前記円管部７７と鋼管杭６１の下端とを溶接固定する際に用いられる裏当てリングであって、
前記鋼管杭６１の内面に可動に嵌合する大径部分８１ａと前記先端部材７０の前記円管部７７の内面に可動に嵌合する小径部分８１ｂとが段差部８１ｃを介在させて一体連続してなるとともに、周方向の一部に隙間を有する非閉鎖円形断面をなし弾性的に径が縮小可能とされていることを特徴とする請求項１記載の異径管溶接接続用の裏当てリング。
【手続補正２】
【補正対象書類名】明細書
【補正対象項目名】０００５
【補正方法】変更
【補正の内容】
【０００５】
上記課題を解決する請求項１の発明は、鋼管杭において、突き合わせた時に内周面に段差が生じるような互いに内径の異なる２つの鋼管を突合せ溶接する際に用いられる異径管溶接接続用の裏当てリングであって、
内径大側鋼管の内面に可動に嵌合する大径部分８１ａと内径小側鋼管の内面に可動に嵌合する小径部分８１ｂとが、管内から見て大径部分側の凹湾曲断面部分と小径部分側の凸湾曲断面部分とが連続する態様の等厚の段差部８１ｃを介在させて一体連続してなるとともに、周方向の一部に隙間を有する非閉鎖円形断面をなし弾性的に径が縮小可能とされていることを特徴とする。
【手続補正３】
【補正対象書類名】明細書
【補正対象項目名】０００６
【補正方法】変更
【補正の内容】
【０００６】
請求項２は、請求項１記載の裏当てリングが、大径鋼管杭５１（内径大側鋼管）が溶接接続される大径短尺管１３（内径小側鋼管）を円形平板１２の片側面に溶接固定し、小径鋼管杭５２（内径大側鋼管）が溶接接続される小径短尺管１４（内径小側鋼管）を前記円形平板１２の他側面に溶接固定した異径鋼管杭接続部材１０を介して、前記大径鋼管杭５１（内径大側鋼管）と小径鋼管杭５２とを連結する際に用いられる裏当てリングであって、
前記大径鋼管杭５１と前記大径短尺管１３との溶接接続部、又は前記小径鋼管杭５２と前記小径短尺管１４との溶接接続部に用いられるものであることを特徴とする。
【手続補正４】
【補正対象書類名】明細書
【補正対象項目名】０００９
【補正方法】変更
【補正の内容】
【０００９】
【図１】本発明の一実施例の裏当てリングの一実施例を示すもので、（イ）は裏当てリングの側面図、（ロ）は平面図、（ハ）は斜視図である。
【図２】図１の裏当てリングを製作する方法を説明する図である。
【図３】実施例の裏当てリングを用いる場合の一例として示した図９（イ）の鋼管杭の中間において、互いに内径の異なる上下の鋼管杭を異径鋼管杭接続部材を介して連結する部分の断面図である。
【図４】図３における異径鋼管杭接続部材の斜視図であり、上下の鋼管杭を２点鎖線で示している。
【図５】実施例の裏当てリングを用いる場合の他の例として示した図９（ロ）において、上側の細径の鋼管杭５２と下側の拡底杭である鋼管杭５１’とを、異径鋼管杭接続部材を介して連結する部分の断面図である。
【図６】実施例の裏当てリングを用いる場合のさらに他の例として示した図９（イ）、（ロ）の鋼管杭の先端に固定される先端部材の近傍を示したもので、先端部材近傍の要部断面図（先端部材の端面板は断面として図示していない）である。
【図７】図６の右側面図に相当する要部断面図である。
【図８】図７のＡ−Ａ断面平面図である。
【図９】（イ）、（ロ）のいずれも、図１に示した裏当てリングを使用する箇所を説明するための図である。
【手続補正５】
【補正対象書類名】明細書
【補正対象項目名】００１１
【補正方法】変更
【補正の内容】
【００１１】
図１は本発明の一実施例の裏当てリング（リング状の裏当て金）８１の一実施例を示すもので、（イ）は裏当てリング８１の側面図、（ロ）は平面図、（ハ）は斜視図である。
この裏当てリング８１は、突き合わせた時に内周面に段差が生じるような互いに内径の異なる２つの鋼管を突合せ溶接する際に用いられるものであり、図示略の内径大側鋼管の内面に可動に嵌合する大径部分８１ａと図示略の内径小側鋼管の内面に可動に嵌合する小径部分８１ｂとが、管内から見て大径部分側の凹湾曲断面部分と小径部分側の凸湾曲断面部分とが連続する態様の等厚の段差部８１ｃを介在させて一体連続してなるとともに、周方向の一部に切込み（間隙を指す）８１ｄを有する非閉鎖円形断面をなし、弾性的に径が縮小可能とされている構造である。
【手続補正６】
【補正対象書類名】明細書
【補正対象項目名】００１３
【補正方法】変更
【補正の内容】
【００１３】
図示例の裏当てリング８１は、例えば図９（イ）に示した鋼管杭６１における異径鋼管杭接続部材１０の部分に用いることができる。図４に異径鋼管杭接続部材１０を斜視図で示す。
【手続補正７】
【補正対象書類名】明細書
【補正対象項目名】００１４
【補正方法】変更
【補正の内容】
【００１４】
この異径鋼管杭接続部材１０は、杭本体である鋼管を回転圧入することにより地盤に貫入させる回転圧入工法において、例えば図９（イ）、（ロ）に示す互いに径の異なる鋼管杭５１、５２（又は５２’、５１’）を上下に連結する場合に用いることができるが、図３に示した異径鋼管杭接続部材１０は拡頭杭を施工する場合（図９（イ）の場合）のものであり、拡頭杭となる大径鋼管杭５１とその下側の小径鋼管杭５２とを連結するために用いている。
なお、上下の鋼管杭５１、５２からなる鋼管杭全体（施工鋼管杭）を鋼管杭６１として示す。
【手続補正８】
【補正対象書類名】明細書
【補正対象項目名】００１９
【補正方法】変更
【補正の内容】
【００１９】
図５は前記異径鋼管杭接続部材１０を上下逆にして用いる場合の裏当てリング８１の使用状態を示す。すなわち、図９（ロ）のように、上側の小径鋼管杭５２’と下側の大径鋼管杭５１’とを異径鋼管杭接続部材１０を介して連結する場合であり、拡底杭（大径鋼管杭５１’）を持つ鋼管杭６１（６１Ａ）が施工される。
この場合、上側の小径鋼管杭５２’と異径鋼管杭接続部材１０の小径短尺管１４との溶接接続において、又は拡底杭である下側の内径大側鋼管５１’と異径鋼管杭接続部材１０の大径短尺管１３との溶接接続において、図３で説明した要領と同様な要領で、裏当てリング８１を用いることができる。
【手続補正９】
【補正対象書類名】明細書
【補正対象項目名】００２２
【補正方法】変更
【補正の内容】
【００２２】
実施例では、裏当てリング８１を異径鋼管杭接続部材１０、及び先端部材７０において適用する実施例について説明したが、その他、突き合わせた時に内周面に段差が生じるような互いに内径の異なる２つの鋼管を溶接接続する場合に適用できる。